(57)【要約】【課題】  上りリンクパケットデータサービスのためのシグナリングオーバーヘッドを低減させる装置及び方法を提供する。【解決手段】  移動通信システムにおいて、上りリンクデータ伝送のために、向上した上りリンク専用伝送チャンネル（ＥＵＤＣＨ）を使用する。使用者端末（ＵＥ）は、無線網制御器（ＲＮＣ）からセルグループ情報を受信し、セルグループ情報に従って同一のセルグループに属しているセルから受信されたスケジューリング信号又はＡＣＫ／ＮＡＣＫ信号のソフト結合を遂行し、それによって、検出性能を向上させる。【選択図】  図５
2005333632.tif 000002
【特許請求の範囲】
【請求項１】
移動通信システムにおける使用者端末が上りリンクパケットデータサービスのためのスケジューリング信号を効率的に受信する方法であって、
無線網制御器から、前記上りリンクパケットデータサービスのための同一のスケジューリング信号を送信するセルを示すセルグループ情報を獲得するステップと、
前記セルグループ情報に従って同一のスケジューリングセルグループに属するセルから受信されたスケジューリング信号をソフト結合するステップと、
前記ソフト結合された信号に従って前記上りリンクパケットデータサービスのためのデータレートを決定するステップと
を備えることを特徴とする方法。
【請求項２】
前記セルグループ情報は、前記同一のスケジューリング信号を伝送する複数のセルを区別するスケジューリングセルグループ識別子を備えることを特徴とする請求項１記載の方法。
【請求項３】
前記セルグループ情報は、前記使用者端末のアクティブセットに含まれているが、スケジューリング信号を伝送しないセルを示す除外セル指示子をさらに備えることを特徴とする請求項２記載の方法。
【請求項４】
前記セルグループ情報は、前記上りリンクパケットデータサービスのための同一の認知／否定的認知（ＡＣＫ／ＮＡＣＫ）信号を伝送するセルを区別するＡＣＫ／ＮＡＣＫセルグループ識別子をさらに備えることを特徴とする請求項２記載の方法。
【請求項５】
前記セルグループ情報は、前記同一のスケジューリング信号を送信する複数のセルを含むスケジューリングセルグループが同一の電力制御命令を伝送するセルを示すＴＰＣ無線リンクセットと同一であるか否かを示すセルグループ指定指示子をさらに備えることを特徴とする請求項２記載の方法。
【請求項６】
前記獲得するステップは、前記同一のスケジューリング信号を送信する複数のセルを含むスケジューリングセルグループが同一の電力制御命令（ＴＰＣ）を伝送するセルを示すＴＰＣ無線リンクセットと同一であるか否かを判断するステップと、
前記スケジューリングセルグループが前記ＴＰＣ無線リンクセットと同一でない場合、前記無線網制御器から前記セルグループ情報を含む無線資源制御（ＲＲＣ）シグナリングメッセージを受信し、前記ＲＲＣシグナリングメッセージから前記セルグループ情報を検出するステップとを備えることを特徴とする請求項１記載の方法。
【請求項７】
前記獲得するステップは、前記同一のスケジューリング信号を送信する複数のセルを含むスケジューリングセルグループが同一の制御命令（ＴＰＣ）を伝送するセルを示すＴＰＣ無線リンクセットと同一であるか否かを判断するステップと、
前記スケジューリングセルグループが前記ＴＰＣ無線リンクセットと同一である場合、前記無線網制御器から前記ＴＰＣ無線リンクセットを示すＴＰＣ無線リンクセット情報を含む無線資源制御（ＲＲＣ）シグナリングメッセージを受信するステップと、
前記ＲＲＣシグナリングメッセージから前記ＴＰＣ無線リンクセット情報を検出して前記ＴＰＣ無線リンクセット情報が示す前記ＴＰＣ無線リンクセットを前記同一のスケジューリング信号を送信する前記セルのグループとして定義するステップと
を備えることを特徴とする請求項１記載の方法。
【請求項８】
移動通信システムにおいて上りリンクパケットデータサービスのためのスケジューリング信号を受信する使用者端末装置であって、
無線網制御器から同一のスケジューリング信号を送信する複数のセルを示すセルグループ情報を獲得するスケジューリング信号受信制御器と、
複数のセルからのスケジューリング信号をそれぞれ復調する少なくとも１つのスケジューリング信号復調器と、
前記スケジューリング信号復調器によって受信された前記スケジューリング信号のうちから、前記セルグループ情報に従って同一のスケジューリングセルグループに属するセルからのスケジューリング信号をソフト結合するソフト結合器と、
前記ソフト結合器の出力信号、又は前記スケジューリング信号復調器によって受信された前記スケジューリング信号を復号する少なくとも１つのメッセージ復号器と、
前記メッセージ復号器からの出力信号に従って、前記上りリンクパケットデータサービスのためのデータレートを決定するデータレート決定器と
を備えることを特徴とする装置。
【請求項９】
前記セルグループ情報は、前記同一のスケジューリング信号を伝送する複数のセルを区別するスケジューリングセルグループ識別子を備えることを特徴とする請求項８記載の装置。
【請求項１０】
前記セルグループ情報は、前記使用者端末のアクティブセットに含まれているが、スケジューリング信号を伝送しないセルを示す除外セル指示子をさらに備えることを特徴とする請求項９記載の装置。
【請求項１１】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項９記載の装置。
【請求項１２】
前記セルグループ情報は、前記同一のスケジューリング信号を送信する複数のセルを含むスケジューリングセルグループが同一のＴＰＣを伝送するセルを示すＴＰＣ無線リンクセットと同一であるか否かを示すセルグループ指定指示子をさらに備えることを特徴とする請求項９記載の装置。
【請求項１３】
前記スケジューリング信号受信制御器は、前記同一のスケジューリング信号を送信する複数のセルのグループが同一のＴＰＣを伝送するセルを示すＴＰＣ無線リンクセットと同一でない場合、前記無線網制御器から前記セルグループ情報を含むＲＲＣシグナリングメッセージを受信し、前記ＲＲＣシグナリングメッセージから前記セルグループ情報を検出することを特徴とする請求項８記載の装置。
【請求項１４】
前記スケジューリング信号受信制御器は、前記同一のスケジューリング信号を送信する複数のセルのグループが同一のＴＰＣを伝送するセルを示すＴＰＣ無線リンクセットと同一である場合、前記無線網制御器から前記ＴＰＣ無線リンクセットを示すＴＰＣ無線リンクセット情報を含むＲＲＣシグナリングメッセージを受信するように構成される第１の構成要素と、
前記ＲＲＣシグナリングメッセージから前記ＴＰＣ無線リンクセット情報を検出して前記ＴＰＣ無線リンクセット情報を示す前記ＴＰＣ無線リンクセットを前記同一のスケジューリング信号を送信する前記複数のセルのグループとして定義するように構成される第２の構成要素とを備えることを特徴とする請求項８記載の装置。
【請求項１５】
移動通信システムにおけるノードで上りリンクパケットデータサービスのためのスケジューリング信号のソフト結合を支援するための方法であって、
前記ノードによって制御される複数のセルのうち、同一のスケジューリング信号を送信するセルを決定するステップと、
前記同一のスケジューリング信号を送信するセルを示すスケジューリングセルグループを前記ノードを制御する無線網制御器（ＲＮＣ）に通知するステップと、
前記上りリンクパケットデータサービスを遂行し、前記スケジューリングセルグループのセルのうちの少なくとも１つに位置する使用者端末のための同一のスケジューリング信号を生成するステップと、
前記生成されたスケジューリング信号を前記スケジューリングセルグループ内の各セルを通して前記使用者端末（ＵＥ）へ送信するステップと
を備えることを特徴とする方法。
【請求項１６】
前記セルグループ情報は、前記同一のスケジューリング信号を伝送するセルを区別するスケジューリングセルグループ識別子を備えることを特徴とする請求項１５記載の方法。
【請求項１７】
前記セルグループ情報は、前記使用者端末のアクティブセットに含まれているが、スケジューリング信号を伝送しないセルを示す除外セル指示子をさらに備えることを特徴とする請求項１６記載の方法。
【請求項１８】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項１６記載の方法。
【請求項１９】
移動通信システムにおいて上りリンクパケットデータサービスのためのスケジューリング信号のソフト結合を支援するためのノード装置であって、
前記ノードによって制御される複数のセルのうち、同一のスケジューリング信号を送信するセルを決定し、前記同一のスケジューリング信号を送信するセルを示すスケジューリングセルグループを前記ノードを制御する無線網制御器に通知するスケジューリング信号伝送制御器と、
前記上りリンクパケットデータサービスを遂行し、前記スケジューリングセルグループ内のセルのうちのいずれか１つに位置する使用者端末のための同一のスケジューリング信号を生成するスケジューリング信号生成器と、
前記生成されたスケジューリング信号を前記スケジューリングセルグループ内の各セルを通して前記使用者端末へ送信するセル送信器と
を備えることを特徴とする装置。
【請求項２０】
前記セルグループ情報は、前記同一のスケジューリング信号を伝送するセルを区別するスケジューリングセルグループ識別子を備えることを特徴とする請求項１９記載の装置。
【請求項２１】
前記セルグループ情報は、前記使用者端末のアクティブセットに含まれているが、スケジューリング信号を伝送しないセルを示す除外セル指示子をさらに備えることを特徴とする請求項２０記載の装置。
【請求項２２】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項２０記載の装置。
【請求項２３】
移動通信システムにおける無線網制御器（ＲＮＣ）で上りリンクパケットデータサービスのためのスケジューリング信号のソフト結合を支援する方法であって、
複数のセルを制御するノードから同一のスケジューリング信号を送信するセルを示すセルグループ情報を受信するステップと、
前記上りリンクパケットデータサービスを遂行し、前記複数のセルのうちのいずれか１つに位置する使用者端末へ前記セルグループ情報を伝送するステップと
を備えることを特徴とする方法。
【請求項２４】
前記セルグループ情報は、前記同一のスケジューリング信号を伝送するセルを区別するスケジューリングセルグループ識別子を備えることを特徴とする請求項２３記載の方法。
【請求項２５】
前記セルグループ情報は、前記使用者端末のアクティブセットに含まれているが、スケジューリング信号を伝送しないセルを示す除外セル指示子をさらに備えることを特徴とする請求項２４記載の方法。
【請求項２６】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項２４記載の方法。
【請求項２７】
前記セルグループ情報は、前記同一のスケジューリング信号を送信するセルを含むスケジューリングセルグループが同一の電力制御命令（ＴＰＣ）を伝送するセルを示すＴＰＣ無線リンクセットと同一であるか否かを示すセルグループ指定指示子をさらに備えることを特徴とする請求項２４記載の方法。
【請求項２８】
移動通信システムにおける無線網制御器（ＲＮＣ）で上りリンクパケットデータサービスのためのスケジューリング信号のソフト結合を支援する装置であって、
複数のセルを制御するノードから同一のスケジューリング信号を送信するセルを示すセルグループ情報を受信する受信部と、
前記上りリンクパケットデータサービスを遂行し、前記複数のセルのうちのいずれか１つに位置する使用者端末へ前記セルグループ情報を伝送する送信部と
を備えることを特徴とする装置。
【請求項２９】
前記セルグループ情報は、同一のスケジューリング信号を伝送するセルを区別するスケジューリングセルグループ識別子を備えることを特徴とする請求項２８記載の装置。
【請求項３０】
前記セルグループ情報は、前記使用者端末のアクティブセットに含まれているが、スケジューリング信号を伝送しないセルを示す除外セル指示子をさらに備えることを特徴とする請求項２９記載の装置。
【請求項３１】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項２９記載の装置。
【請求項３２】
前記セルグループ情報は、前記同一のスケジューリング信号を伝送するセルを含むスケジューリングセルグループが同一のＴＰＣを伝送するセルを示すＴＰＣ無線リンクセットと同一であるか否かを示すセルグループ指定指示子をさらに備えることを特徴とする請求項２９記載の装置。
【発明の詳細な説明】
【技術分野】
【０００１】
本発明は、上りリンクパケットデータサービスを支援する移動通信システムいおいて、スケジューリング情報を効率的に送受信する装置及び方法に関し、特に、使用者端末がハンドオーバー領域に位置した場合、複数のセルから受信されたスケジューリング信号、又はＡＣＫ／ＮＡＣＫ信号のソフト結合（soft combining）を遂行する装置及び方法に関する。
【背景技術】
【０００２】
広帯域符号分割多重接続（Wideband Code Division Multiple Access；以下、‘ＷＣＤＭＡ’と称する）システムでは、向上した上りリンク専用伝送チャンネル（Enhanced Uplink Dedicated transport Channel；以下、ＥＵＤＣＨと称する）を使用する。上記ＥＵＤＣＨサービスは、ＷＣＤＭＡシステムの上りリンクパケットデータの伝送性能を向上させるために提案されたもので、ＥＵＤＣＨサービスでは、各使用者端末（User Equipment；ＵＥ）の上りリンクパケットデータの伝送許可／不許可及び可能なデータ伝送率の上限値が基地局（Ｎｏｄｅ Ｂ）によって決定される。上記基地局で決定された上記情報は、スケジューリング命令としてＵＥへ伝送される。それに応じて、ＵＥは、上記スケジューリング命令に従ってＥＵＤＣＨデータの伝送率を決定して上りリンクを通して基地局へデータを伝送する。また、ＥＵＤＣＨシステムでは、ハイブリッド自動再送要求（Hybrid Automatic Repeat Request；以下、‘ＨＡＲＱ’と称する）技術が適用される。従って、上記基地局は、上記使用者端末から受信されたデータの復号（decoding）に関して成功したか失敗したかを決定して、認知（acknowledge；以下、‘ＡＣＫ’と称する）信号又は否定的認知（negative acknowledge；以下、‘ＮＡＣＫ’と称する）信号をＵＥへ伝送する。
図１は、ＥＵＤＣＨサービスを支援する移動通信システムにおいて、基地局が遂行するスケジューリング動作の説明のための概念図である。図１において、参照番号１００は、ＥＵＤＣＨサービスを支援する基地局を示し、参照番号１１０乃至１１６は、ＥＵＤＣＨデータを伝送するＵＥを示す。
ＵＥのデータレートが増加すると、基地局がＵＥからデータを受信する際の受信電力が増加する。従って、ＵＥのＲｏＴ（Rise over Thermal）は、上記総ＲｏＴで大きい部分を占める。一方、ＵＥのデータレートが減少すると、基地局がＵＥからデータを受信する際の受信電力を減少させる。この場合、ＵＥのＲｏＴは、上記総ＲｏＴで小さい部分を占める。従って、基地局は、上記データレートと無線資源との間の関係とＵＥが要請するデータレートとを考慮して、上記ＥＵＤＣＨパケットデータに対するスケジューリングを遂行する。ここで、基地局は、上記受信性能を保証しつつ受信することができる上りリンク信号の量を制限する。下記式(1)は、基地局の受信性能を保証しつつ受信することができる上りリンク信号の量を示す。
【０００３】
【数１】
2005333632.tif 000003
【０００４】
式(1)において、上記Ｉｏは、基地局の全体受信広帯域電力スペクトル密度（Power spectral density）を示し、上記Ｎｏは、基地局の熱雑音電力スペクトル密度を示す。従って、上記ＲｏＴは、基地局が上りリンクで上記ＥＵＤＣＨパケットデータサービスのために割り当てることができる無線資源を示す。
上述したように、基地局は、基地局の測定ＲｏＴが目標ＲｏＴを超えないようにＵＥに上記データレートを割り当てる。すなわち、基地局は、遠く離れて位置したＵＥに対しては、低いデータレートを割り当て、近く位置したＵＥに対しては、高いデータレートを割り当てることができる。
【０００５】
ＵＥが基地局との距離に従って異なる上りリンクチャンネル送信電力で上記パケットデータを送信する。すなわち、基地局から一番遠く離れているＵＥ１１０は、一番高い上りリンクチャンネルの送信電力１２０で上記パケットデータを送信し、基地局から一番近いＵＥ１１４は、一番低い上りリンクチャンネルの送信電力１２４で上記パケットデータを送信する。基地局で適用されるスケジューリングアルゴリズムに従って、ＵＥで適用される送信電力及びパケットデータレートが異なることができる。
【０００６】
図２は、ＥＵＤＣＨを通したパケットデータ伝送のために基地局２００とＵＥ２０２との間に必要な基本手順を示す図である。
図２を参照すると、ステップ２０４で、基地局２００とＵＥ２０２との間にＥＵＤＣＨを設定する。ステップ２０４は、専用伝送チャンネル（Dedicated Transport Channel）を通してメッセージを送受信する過程を含む。その後、ステップ２０６で、ＵＥ２０２は、基地局２００に必要なデータレートに関する情報、及び上りリンクチャンネル状況を判断することができる情報を伝送する。上記上りリンクチャンネル状況を判断することができる情報には、ＵＥ２０２が伝送する上りリンクチャンネルの送信電力及びＵＥ２０２の送信電力マージンがある。
上記上りリンクチャンネルの送信電力に関する情報を受信した基地局２００は、上記上りリンクチャンネルの送信電力と受信電力を比較して、上りリンクチャンネル状況を推定することができる。すなわち、上記上りリンクチャンネル送信電力と上りリンクチャンネル受信電力との差異が小さいと、基地局２００は、上記上りリンクチャンネルの状況が良好であると判断する。しかしながら、上記送信電力と受信電力との差異が大きいと、上記上りリンクチャンネルの状況がよくないと判断する。
【０００７】
ＵＥ２０２が送信電力マージンを伝送する場合には、上記送信電力マージンをすでに認識しているＵＥ２０２の可能な最大送信電力から減算することによって、基地局２００は、上記上りリンク送信電力を推定することができる。そうすると、基地局２００は、上記推定されたＵＥ２０２の上りリンクチャンネル状況、ＵＥ２０２が必要とするデータレートに関する情報、及び基地局で受信される上りリンク干渉信号の総電力に関する情報を使用して、ＵＥ２０２の上りリンクパケットチャンネルのための可能な最大データレートを決定するか、又は、ＵＥ２０２の次の伝送データレートを増加させるか又は減少させるかを決定する。上記決定された可能な最大データレート及びレート増加／減少に関する情報は、ステップ２０８で、下りリンクスケジューリング信号としてＵＥ２０２へ通知される。
【０００８】
そうすると、ＵＥ２０２は、上記通知された可能な最大データレート、又はレート増加／減少命令に従って伝送パケットデータのデータレートを決定し、ステップ２１０で、上記決定されたデータレートで上記パケットデータを基地局２００へ伝送する。そうすると、基地局２００は、上記パケットデータを受信した後に復号を遂行する。そして、上記パケットデータの復号に成功した場合には、ステップ２１２で、基地局がＡＣＫ信号をＵＥ２０２へ伝送した後、ステップ２１０で、ＵＥ２０２は、新たなパケットデータを基地局２００へ伝送する。一方、基地局２００が上記パケットデータの復号に失敗した場合には、ステップ２１２で、ＮＡＣＫ信号をＵＥ２０２へ伝送する。この場合、ＵＥ２０２は、ステップ２１０で伝送されたデータを再伝送する。
【０００９】
上述したように、ＵＥがソフト又はソフター（softer）ハンドオーバー領域に位置する場合、ＵＥの下りリンク電力制御は、アクティブセット（active set）内のセルから受信された専用物理制御チャンネル（Dedicated Physical Control Channel；以下、‘ＤＰＣＣＨ’と称する）のパイロット信号を介して行われる。すなわち、上記パイロット信号をソフト結合した後に決定された信号対雑音比（Signal-to-Interference-plus-Noise Ratio；以下、‘ＳＩＮＲ’と称する）に基づいて遂行される。
【００１０】
結果として、ＥＵＤＣＨパケットに対して各セルが伝送するそれぞれのスケジューリング信号及びＡＣＫ／ＮＡＣＫ信号は、ハンドオーバー領域に位置しない場合に比べて低い電力で伝送される。従って、ＵＥが各セルからのスケジューリング信号及びＡＣＫ／ＮＡＣＫ信号に対して信頼性を保証することができない、という短所がある。
従って、セルグループ情報を受信し、スケジューリング信号又は認知／否定的認知（ＡＣＫ／ＮＡＣＫ）信号を結合することによって、性能を改善させるシステム及び方法が要求されてきている。
【発明の開示】
【発明が解決しようとする課題】
【００１１】
上記背景に鑑みて、本発明の目的は、上りリンクパケットデータサービスのためのシグナリングオーバーヘッドを低減させる装置及び方法を提供することにある。
本発明の他の目的は、上りリンクパケットデータサービスを支援する移動通信システムにおいて、ＵＥがソフト結合を遂行する装置及び方法を提供することにある。
本発明のまた他の目的は、上りリンクパケットデータサービスを支援する移動通信システムにおいて、基地局が同一のスケジューリング信号又はＡＣＫ／ＮＡＣＫ信号を伝送するセルに関する情報を無線網制御器（Radio Network Controller；ＲＮＣ）へ伝送する装置及び方法を提供することにある。
本発明のさらなる他の目的は、上りリンクパケットデータサービスを支援する移動通信システムにおいて、ＲＮＣが同一のスケジューリング信号又はＡＣＫ／ＮＡＣＫ信号を伝送するセルに関する情報をＵＥへ伝送する装置及び方法を提供することにある。
本発明のもう一つの他の目的は、上りリンクパケットデータサービスを支援する移動通信システムにおいて、ＵＥが同一のスケジューリング信号又は認知／否定的認知信号を伝送するセルに関する情報を使用してソフト結合を遂行する装置及び方法を提供することにある。
【課題を解決するための手段】
【００１２】
このような目的を達成するために、本発明の１つの特徴によれば、移動通信システムにおける使用者端末が上りリンクパケットデータサービスのためのスケジューリング信号を効率的に受信する方法であって、無線網制御器から、上記使用者端末と通信する１つの基地局に属し、上記上りリンクパケットデータサービスのためのデータレートを制御するための相互に異なるスケジューリング信号を送信する少なくとも２個のスケジューリングセルグループを示すセルグループ情報を獲得するステップと、ここで、上記スケジューリングセルグループのそれぞれは、同一のスケジューリング信号を送信する少なくとも１つのセルを含み、複数のセルからのスケジューリング信号を受信して復調し、上記セルグループ情報に従って各スケジューリングセルグループに属するセルから受信されたスケジューリング信号をソフト結合するステップと、上記ソフト結合された信号及びソフト結合されない少なくとも１つのスケジューリング信号に従って上記上りリンクパケットデータサービスのためのデータレートを決定するステップと、を備えることを特徴とする。
【００１３】
本発明の他の特徴によれば、移動通信システムにおいて上りリンクパケットデータサービスのためのスケジューリング信号を受信する使用者端末装置であって、無線網制御器から上記使用者端末と通信する１つの基地局に属して上記上りリンクパケットデータサービスのデータレートを制御するための相互に異なるスケジューリング信号を送信する少なくとも２個のスケジューリングセルグループを示すセルグループ情報を獲得するスケジューリング信号受信制御器と、ここで、上記各スケジューリングセルグループは、同一のスケジューリング信号を送信する少なくとも１つのセルを含み、複数のセルからのスケジューリング信号をそれぞれ復調するスケジューリング信号復調器と、上記スケジューリング信号復調器によって受信された上記スケジューリング信号のうちから、上記セルグループ情報に従って各スケジューリングセルグループに属するセルからのスケジューリング信号をソフト結合するソフト結合器と、上記ソフト結合器の出力信号、又は上記スケジューリング信号復調器によって受信された上記スケジューリング信号を復号するメッセージ復号器と、上記メッセージ復号器からの出力信号に従って、上記上りリンクパケットデータサービスのためのデータレートを決定するデータレート決定器と、を備えることを特徴とする。
【００１４】
本発明のまた他の特徴によれば、移動通信システムにおける基地局で上りリンクパケットデータサービスのためのスケジューリング信号のソフト結合を支援するための方法であって、上記基地局によって制御される複数のセルのうち、同一のスケジューリング信号を送信するセルを決定するステップと、上記同一のスケジューリング信号を送信するセルを示すスケジューリングセルグループを上記基地局を制御する無線網制御器（ＲＮＣ）に通知するステップと、上記上りリンクパケットデータサービスを遂行し、上記スケジューリングセルグループのセルのうちのいずれか１つに位置する使用者端末のための同一のスケジューリング信号を生成するステップと、上記生成されたスケジューリング信号を上記スケジューリングセルグループ内の各セルを通して上記使用者端末（ＵＥ）へ送信するステップと、を備えることを特徴とする。
【００１５】
本発明のさらなる特徴によれば、移動通信システムにおいて上りリンクパケットデータサービスのためのスケジューリング信号のソフト結合を支援するための基地局装置であって、上記基地局によって制御される複数のセルのうち、同一のスケジューリング信号を送信するセルを決定し、上記同一のスケジューリング信号を送信するセルを示すスケジューリングセルグループを上記基地局を制御する無線網制御器に通知するスケジューリング信号伝送制御器と、上記上りリンクパケットデータサービスを遂行し、上記スケジューリングセルグループ内のセルのうちのいずれか１つに位置する使用者端末のための同一のスケジューリング信号を生成するスケジューリング信号生成器と、上記生成されたスケジューリング信号を上記スケジューリングセルグループ内の各セルを通して上記使用者端末へ送信するセル送信器と、を備えることを特徴とする。
【００１６】
本発明のもう一つの特徴によれば、移動通信システムにおける無線網制御器（ＲＮＣ）で上りリンクパケットデータサービスのためのスケジューリング信号のソフト結合を支援する方法であって、複数のセルを制御する基地局から同一のスケジューリング信号を送信するセルを示すセルグループ情報を受信するステップと、上記上りリンクパケットデータサービスを遂行し、上記複数のセルのうちのいずれか１つに位置する使用者端末へ上記セルグループ情報を伝送するステップと、を備えることを特徴とする。
【００１７】
本発明のなお他の特徴によれば、移動通信システムにおける無線網制御器（ＲＮＣ）で上りリンクパケットデータサービスのためのスケジューリング信号のソフト結合を支援する装置であって、複数のセルを制御する基地局から同一のスケジューリング信号を送信するセルを示すセルグループ情報を受信する受信部と、上記上りリンクパケットデータサービスを遂行し、上記複数のセルのうちのいずれか１つに位置する使用者端末へ上記セルグループ情報を伝送する送信部と、を備えることを特徴とする。
【発明の効果】
【００１８】
本発明は、ＵＥがソフト又はソフターハンドオーバー領域に位置する場合、ＵＥは、同一のスケジューリング又はＡＣＫ／ＮＡＣＫ信号を伝送したか否かを通知し、これによって、スケジューリング信号及びＡＣＫ／ＮＡＣＫ信号の適切なソフト結合を遂行することができるようにする。また、基地局は、同一のスケジューリング又はＡＣＫ／ＮＡＣＫ信号を伝送するか否かに従って、別途のシグナリングを使用せず、スケジューリング及びＡＣＫ／ＮＡＣＫ信号を伝送するセルをＵＥに通知し、結果的に、制限された無線資源を効率的に使用することができる、という長所を有する。
【発明を実施するための最良の形態】
【００１９】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
本発明の実施形態によれば、使用者端末がソフト、又はソフターハンドオーバー領域に位置する場合、同一の基地局又は相互に異なる基地局によって制御される複数のセルで、同一のスケジューリング信号又はＡＣＫ／ＮＡＣＫ信号を上記使用者端末へ伝送するように制御し、これによって、受信ダイバーシティ（diversity）利得を得る。すなわち、本発明の実施形態は、ＵＥが複数のセルを通して伝送された同一スケジューリング及びＡＣＫ／ＮＡＣＫ信号のソフト結合を遂行するようにすることによって検出性能を向上させる。また、本発明の実施形態は、ソフト結合を支援するためのＲＲＣ及びＩｕｂシグナリングメッセージを提示する。
【００２０】
図３は、上りリンクパケットデータサービスを使用する使用者端末がソフトハンドオーバー領域に位置した状況を示す図である。
図３を参照すると、基地局３００は、６個のセル３１０，３１２，３１４，３１６，３１８，３２０を制御し、ＥＵＤＣＨサービスを用いるＵＥ３０２は、基地局３００のソフターハンドオーバー領域に位置する。ＵＥ３０２は、セル＃１２（３１２）、セル＃１１（３１４）、及びセル＃２１（３１６）からスケジューリング信号を受信している。上記セル＃１２（３１２）、セル＃１１（３１４）、及びセル＃２１（３１６）のうちから、セル＃１２（３１２）及びセル＃１１（３１４）は、同一のスケジューリング信号３３０及び３３２を送信し、セル＃２１（３１６）は、セル＃１２（３１２）及びセル＃１１（３１４）とは独立したスケジューリング信号３３４を送信する。上述した状況が発生する可能性がある一例では、セル＃１２（３１２）及びセル＃１１（３１４）の送受信部がハードウェア側面で同一のチャンネルカードに存在し、セル＃２１（３１６）が相互に異なるチャンネルカードに存在する場合を挙げることができる。
【００２１】
ＵＥ３０２は、セル＃１２（３１２）及びセル＃１１（３１４）から受信されたスケジューリング信号＃１（３３０）（３３２）をソフト結合した後に復号することによって検出性能を向上させることができる。一方、セル＃２１（３１６）から受信されたスケジューリング信号＃２（３３４）がスケジューリング信号＃１（３３０）（３３２）とは独立的であるので、ＵＥ３０２は、ソフト結合なくスケジューリング信号＃２（３３４）を復号する。
【００２２】
図３の状況のようなソフト結合を支援するにあたって、ＡＣＫ／ＮＡＣＫ信号の場合にも上述した動作が適用されることができるが、スケジューリング信号の場合には、付加的に考慮されるべき事項がある。
すなわち、スケジューリング信号のソフト結合を遂行する場合、各セルがＵＥへ伝送するスケジューリング信号を決定するにおいて、各セルのＲｏＴレベルは、考慮されるべき重要な要素になる。アクティブセット（Active set）内のセルのうちのいずれか１つのセルのＲｏＴレベルが非常に高いと仮定すると、上記セルでの干渉の増加を低減させるために、上記セルからＵＥへ伝送されるスケジューリング信号がＥＵＤＣＨデータレートを決定する動作に重要な影響を及ぼすことができる。従って、このような場合には、上記セル又は上記セルと同一のチャンネルカードを使用するセルでのみスケジューリング信号を伝送し、残りのセルでは、スケジューリング信号を伝送しないことがさらに効率的である。また、スケジューラーのハードウェア実現複雑度、スケジューリングメッセージの大きさによって幾つかのセルで同一のスケジューリング信号を伝送することが難しいことがある。上記の場合を考慮すると、同一のスケジューリング又はＡＣＫ／ＮＡＣＫ信号を伝送するセルを基地局及びＵＥに通知するために、スケジューリング信号及びＡＣＫ／ＮＡＣＫ信号は、別途のシグナリングメッセージをそれぞれ必要とすることができる。
【００２３】
図４は、上りリンクパケットデータサービスを使用するＵＥがソフト及びソフターハンドオーバー領域に同時に位置した状況を示す図である。
図４を参照すると、基地局＃１（４００）は、６個のセル４０２，４０４，４０６，４０８，４１０，４１２を制御し、基地局＃２（４２０）は、６個のセル４２２，４２４，４２６，４２８，４３０，４３２を制御する。ここで、ＵＥ４１４は、基地局＃１（４００）によってそれぞれ制御される、セル＃１１（４０６）及びセル＃１２（４０４）からスケジューリング信号＃１（４４０）及びスケジューリング信号＃２（４４２）を受信し、セル＃２１（４０８）からスケジューリング信号＃２（４４４）を受信する。ＵＥ４１４は、基地局＃２（４２０）によって制御されるセル＃３１（４２２）からスケジューリング信号＃３（４４６）を付加的に受信する。図４では、相互に異なる基地局４００及び４２０によって制御されるセルが独立的なスケジューリング信号及びＡＣＫ／ＮＡＣＫ信号を伝送することを分かる。すなわち、基地局４００及び４２０は、ＥＵＤＣＨデータの迅速なスケジューリング及びＨＡＲＱ動作を支援するために、独立したスケジューリング信号及びＡＣＫ／ＮＡＣＫ信号をそれぞれ伝送する。
【００２４】
本発明の実施形態は、ソフターハンドオーバー及び／又はソフトハンドオーバー領域内にＵＥが位置する場合、各基地局のスケジューリング信号及びＡＣＫ／ＮＡＣＫ信号の伝送方式及びＵＥでのソフト結合を可能にするためのシグナリング方法を提案する。
【００２５】
１．方法１：無線リンクセット（Radio link set）の使用
ＷＣＤＭＡシステム標準規格では、ＵＥに同一の下りリンク電力制御命令（Transmit Power Control command；ＴＰＣ）を伝送するセルのグループ（group）をＴＰＣ無線リンクセット（radio link set）として定義し、上記ＴＰＣ無線リンクセット（radio link set）情報をＵＥへシグナリングすべく規定している。従って、同一のスケジューリング及びＡＣＫ／ＮＡＣＫ信号を伝送するセルをＵＥへ通知するために、別途のシグナリングメッセージを使用せず、上記無線リンクセット（radio link set）内のセルは、同一のスケジューリング及びＡＣＫ／ＮＡＣＫ信号を伝送する。これを間接的な指示と定義する。
【００２６】
２．方法２：別途のＩｕｂシグナリング及びＲＲＣシグナリングの使用
方法２は、同一のスケジューリング信号又はＡＣＫ／ＮＡＣＫ信号を伝送するセルのグループが上記方法１のようにＴＰＣを伝送するセルのグループを定義するＴＰＣ無線リンクセット（radio link set）と独立的に設定される場合に適用される。すなわち、スケジューリング信号及びＡＣＫ／ＮＡＣＫ信号のそれぞれの伝送に対して、別途の付加的なＩｕｂ及びＲＲＣシグナリングメッセージを定義する。従って、 基地局は、新たに定義された同一のスケジューリング又はＡＣＫ／ＮＡＣＫ信号を伝送するセルのグループをＩｕｂシグナリングを通してＲＮＣに通知し、ＲＮＣは、セルのグループに関する情報をＲＲＣシグナリングを通してＵＥに通知する。そして、アクティブセット（active set）には含まれているが、スケジューリング信号又はＡＣＫ／ＮＡＣＫ信号を伝送しないように決定されたセルは、上記シグナリングを通して最終的にＵＥに報告される。
【００２７】
３．方法３：上記方法１及び方法２を適用するか否かを通知するために使用
方法３は、上記の方法１及び方法２のうちのいずれかを適用するかをＵＥに通知するためのＲＲＣシグナリングメッセージを付加的に定義し、これによって、ＵＥがスケジューリング信号及びＡＣＫ／ＮＡＣＫ信号のソフト結合を遂行することができるようにする。
【００２８】
本発明の実施形態によって上述した方法が適用される過程を詳細に説明する。
図５は、本発明の実施形態による基地局のスケジューリング信号送信部の構成を示す図である。ここで、基地局は、それに属する各セルのＲｏＴレベル及びＵＥのＥＵＤＣＨデータバッファの状態、及びＵＥの送信電力マージンを考慮して、ＵＥのＥＵＤＣＨ伝送に対するスケジューリングを遂行する。基地局は、ＵＥにスケジューリング信号として上向（up）／保持（keep）／下向（down）を示す比較的単純なデータレート制御信号を使用するか、又は伝送データレート及び伝送時間を示すさらに複雑な情報を伝送することができる。
【００２９】
図５を参照すると、基地局で同一のスケジューリング信号を伝送することができる２個のセルのグループ５０２及び５０４が存在すると仮定している。セルグループ＃１及び＃２のスケジューリング信号生成器５０２及び５０４は、それぞれセルグループ＃１及び＃２に属するセルが伝送するスケジューリング信号を生成する。ＵＥのアクティブセットにセル＃１１、セル＃１２、及びセル＃２１が含まれている場合、送信器５０６、５０８、及び５１０によって上記生成されたスケジューリング信号が伝送される。このような場合、セルグループ＃１及びセルグループ＃２から伝送されるスケジューリング信号は、相互に独立的であり、セルグループ＃１の場合、ＵＥは、セル＃１１に対する送信器５０６及びセル＃１２に対する送信器５０８から受信されたスケジューリング信号のソフト結合を遂行することによって、検出性能を向上させることができる。
【００３０】
また、本発明の実施形態による他の方法において、基地局が上記アクティブセット内のすべてのセルでスケジューリング信号を伝送するようにする代わりに、特定のセルでのみスケジューリング信号を伝送し、ＵＥは、上記特定のセルから伝送されたスケジューリング信号のみ受信するようにする。
【００３１】
このとき、スケジューリング信号を伝送するセルは、各セルのＲｏＴレベルを考慮して基地局によって決定されることができる。例えば、図５において、セル＃１２のＲｏＴレベルが非常に高いと仮定すると、セル＃１２が属しているセルグループ＃１の送信器５０６及び５０８は、セル＃１２のＲｏＴレベルを考慮したスケジューリング信号をＵＥへ伝送する。セルグループ＃２の送信器５１０は、セル＃１２での上りリンク干渉の増加を防止するために、スケジューリング信号を伝送することができない。このような動作は、スケジューリング信号を伝送しないセルグループ＃２内のセル＃２１に対して、下りリンク干渉の減少及び消耗電力の減少という効果を得ることができる。図５において、上述した動作は、スケジューリング信号伝送制御器５００によって制御され、スケジューリング信号伝送制御器５００は、同一のスケジューリング信号を伝送するセルのグループに関する情報をＩｕｂシグナリングを通してＲＮＣへ通知する。
【００３２】
図６は、本発明の実施形態によるスケジューリング信号を検出するためのＵＥ受信器の構成を示す図であり、図７は、図６に示すＵＥ受信器の動作手順を示すフローチャートである。
図６及び図７を参照すると、セル＃１１、セル＃１２、セル＃２１、セル＃３１の４個のセルがＵＥのアクティブセットに含まれており、セル＃１１及びセル＃１２は、同一のスケジューリング信号を伝送し、セル＃２１及びセル＃３１は、セル＃１１とは独立したスケジューリング信号を伝送する。ここで、セル＃ｘｙは、セルグループ＃ｘに属するｙ番目のセルを意味する。
【００３３】
図７を参照すると、ステップ７０１及びステップ７０２で、上記セルからのスケジューリング信号を復調する前に、ＵＥは、ＲＲＣシグナリングを通して同一のスケジューリング信号を伝送するセルのグループがＴＰＣを伝送するセルのグループであるＴＰＣ無線リンクセットと同一であるか否かを示す情報をＲＮＣから受信する。すなわち、セル＃１１及びセル＃１２が１つのＴＰＣ無線リンクセットを構成し、セル＃２１及びセル＃３１がそれぞれ独立したＴＰＣ無線リンクセットを形成していると仮定すると、ＵＥは、上記ＴＰＣ無線リンクセットに対するＴＰＣ無線リンクセット情報をＲＲＣシグナリングを通して受信する。
【００３４】
ステップ７０２で、上記同一のスケジューリング信号を伝送するセルのグループが上記ＴＰＣ無線リンクセットとは異なるグループを形成していると仮定すると、ＵＥは、ステップ７０３に進行する。ステップ７０３で、ＵＥは、ＲＮＣからＲＲＣシグナリングを通して同一のスケジューリング信号を伝送するセルのグループ及びスケジューリング信号を伝送しないセルに対するスケジューリングセルグループ情報を受信する。一方、ステップ７０２で、同一のスケジューリング信号を伝送するセルが上記ＴＰＣ無線リンクセットと同一のグループを形成すると、ＵＥは、ステップ７０４へ進行する。
【００３５】
ここで、ＵＥは、ＴＰＣ無線リンクセットがスケジューリングセルグループと同一であるか否かを示す別途の情報をＲＮＣから受信するか、又は、スケジューリングセルグループ情報が受信されるか否かを確認する。このようにして、ＵＥは、上記ＴＰＣ無線リンクセットが上記スケジューリングセルグループと同一であるか否かを判断することができる。すなわち、ステップ７０１及びステップ７０２で、スケジューリング情報が受信されない場合、ＵＥは、上記スケジューリングセルグループが上記ＴＰＣ無線リンクセットと同一であると判断する。
【００３６】
その後、ステップ７０４で、ＵＥのスケジューリング信号受信制御器６１０は、上記ＲＮＣから受信されたＴＰＣ無線リンクセット情報又はセルグループ情報を使用して、スケジューリング信号復調器６００，６０２，６１２，６１６及びメッセージ復号器６０６，６１４，６１８を制御する信号を生成する。セル＃１１及びセル＃１２が同一のスケジューリング信号を伝送するので、それぞれのスケジューリング信号復調器６００及び６０２は、セル＃１１及びセル＃１２からのスケジューリング信号を復調してソフト結合器６０４へ入力する。
【００３７】
ステップ７０５で、ソフト結合器６０４で結合された復調シンボルは、メッセージ復号器６０６に入力され、メッセージ復号器６０６は、上記結合された復調シンボルを復号してセル＃１１及びセル＃１２からのスケジューリング情報を出力する。セル＃２１及びセル＃３１から受信されたスケジューリング信号の場合には、同一のスケジューリング信号を伝送する他のセルがないので、セル＃２１及びセル＃３１から受信されたスケジューリング信号がスケジューリング信号復調器６１２及び６１６でそれぞれ復調された後、上記復調されたスケジューリング信号は、該当メッセージ復号器６１４及び６１８で独立した復号が遂行される。
【００３８】
上記セルグループ情報がセル＃２１でスケジューリング信号を伝送しないことを示すと、ＵＥは、セル＃２１がアクティブセットに含まれているとしても、セル＃２１からのスケジューリング信号を受信しない。この場合、スケジューリング信号受信制御器６１０の制御によって、セル＃２１から受信されたスケジューリング信号に対するスケジューリング信号復調器６１２及びメッセージ復号器６１４は、ディスエーブル（disable）される。
ステップ７０６で、ＥＵＤＣＨデータレート決定器６０８は、上記各セル又は各セルグループから受信されたスケジューリング情報に基づいて、次に伝送されるＥＵＤＣＨデータパケットのデータレートを決定する。
【００３９】
本発明の実施形態によるスケジューリング信号の送受信器の構成及び動作手順は、ＡＣＫ／ＮＡＣＫ信号の場合にも同一に適用されることができる。しかしながら、上記同一のＡＣＫ／ＮＡＣＫ信号を伝送するセルのグループと上記同一のスケジューリング信号を伝送するセルのグループとは一致することができない。
【００４０】
次に、上述した実施形態で説明されたスケジューリング信号を送受信する動作を支援するためのシグナリングをさらに詳細に説明する。
まず、上述した方法１を使用する場合、付加されるシグナリングは、存在しない。
二番目に、上述した方法２を使用する場合、次のようなシグナリングパラメータ（１）、（２）、及び（３）を定義する。
（１）  スケジューリングセルグループ識別子（Scheduling Cell Group ID）は、同一のスケジューリング信号を伝送してＵＥでソフト結合が可能なセルのグループを区別する識別子を構成する。
（２）  ＡＣＫ／ＮＡＣＫセルグループ識別子は、同一のＡＣＫ／ＮＡＣＫ信号を伝送してＵＥでソフト結合が可能なセルのグループを区別する識別子を構成する。
（３）  除外セル指示子（Exclusion Cell Indicator）は、ＵＥのアクティブセットに含まれているが、スケジューリング情報又はＡＣＫ／ＮＡＣＫ情報が伝送されないセルを示す指示子を構成する。除外セル指示子が‘オン（ｏｎ）’に設定される場合、該当セルを通してスケジューリング情報又はＡＣＫ／ＮＡＣＫ情報が伝送されないことを意味する。除外セル指示子は、スケジューリング情報及びＡＣＫ／ＮＡＣＫ情報のそれぞれに対して存在することもでき、１つにのみ存在することもできる。
【００４１】
上記定義されたシグナリングパラメータは、既存のＮＢＡＰ（Node B Application Part protocol）及びＲＮＳＡＰ（Radio Network Subsystem Application Part protocol）メッセージの無線リンクセット識別子パラメータが含まれるメッセージ及びＴＰＣ組合せインデックス（combination index）パラメータが含まれるメッセージに含まれる。ここで、ＮＢＡＰは、基地局とＲＮＣとの間のプロトコルを示し、ＲＮＳＡＰは、ＲＮＳ間のプロトコルを示す。
【００４２】
三番目に、上述した方法３を使用する場合、方法２で使用される同一の方式にてシグナリングパラメータを定義する。このとき、方法３が方法２と異なる点は、上記定義されたシグナリングパラメータが場合に従って含まれるか否かが決定される。すなわち、スケジューリング情報又はＡＣＫ／ＮＡＣＫ情報の伝送のためのセルグループ（Cell Group）が上記ＴＰＣ無線リンクセットと同一である場合、上記シグナリングパラメータ（すなわち、スケジューリングセルグループ識別子、ＡＣＫ／ＮＡＣＫセルグループ識別子、及び除外セル指示子）は、シグナリングメッセージに含まれず、スケジューリング情報又はＡＣＫ／ＮＡＣＫ情報の伝送のためのセルグループが上記ＴＰＣ無線リンクセットと同一ではない場合、上記シグナリングパラメータは、シグナリングメッセージに含まれる。
【００４３】
スケジューリングセルグループ識別子（又はＡＣＫ／ＮＡＣＫセルグループ識別子）がＲＲＣシグナリングメッセージに含まれる場合、ＵＥは、同一のスケジューリングセルグループ識別子（又は、ＡＣＫ／ＮＡＣＫセルグループ識別子）を有するセルから受信されたスケジューリング信号（又は、ＡＣＫ／ＮＡＣＫ信号）のソフト結合を遂行する。一方、スケジューリングセルグループ識別子（又はＡＣＫ／ＮＡＣＫセルグループ識別子）がＲＲＣシグナリングメッセージに含まれていない場合、ＵＥは、同一のＴＰＣ無線リンクセットに属しているセルから受信されたスケジューリング信号（又は、ＡＣＫ／ＮＡＣＫ信号）のソフト結合を遂行する。
【００４４】
四番目に、上述した方法３を使用する場合、本発明の他の実施形態で使用するために次のようなシグナリングパラメータを定義することができる。
１）  セルグループ指定指示子（Explicit Cell Group Indicator）；スケジューリング情報又はＡＣＫ／ＮＡＣＫ情報の伝送のためのセルグループがＴＰＣ伝送のための既存のＴＰＣ無線リンクセットと同一であるか否かを示す指示子を意味する。セルグループ指定指示子が‘オン’に設定される場合、スケジューリング情報又はＡＣＫ／ＮＡＣＫ情報の伝送のためのセルグループが上記ＴＰＣ 無線リンクセットと同一でないため、スケジューリングセルグループ及びＡＣＫ／ＮＡＣＫセルグループを明確にシグナリングすることを意味する。この場合、上述した方法２のために定義されたシグナリングパラメータは、既存のＴＰＣ無線リンクセットと共にシグナリングされなければならない。
【００４５】
一方、上記セルグループ指定指示子が‘オフ（off）’に設定される場合、スケジューリング情報又はＡＣＫ／ＮＡＣＫ情報の伝送のためのセルグループが上記ＴＰＣ無線リンクセットと同一であるため、スケジューリングセルグループ及びＡＣＫ／ＮＡＣＫセルグループを間接的にシグナリングすることを意味する。この場合、上記ＴＰＣ無線リンクセットのみがシグナリングされる。上記セルグループ指定指示子は、スケジューリング情報及びＡＣＫ／ＮＡＣＫ情報のそれぞれに対して別個に存在することもでき、１つにのみ存在することもできる。
【００４６】
図８及び図９は、上記スケジューリング信号又はＡＣＫ／ＮＡＣＫ信号に関連したセルグループ情報をシグナリングするためのシグナリングパラメータの一例を示す図である。すなわち、図８は、上記方法３に従って、基地局からＲＮＣへ伝送されたシグナリングメッセージの一例として、無線リンクセットアップ／付加応答メッセージの形態を示す図である。このとき、サービングＲＮＣの以外にドリフトＲＮＣが存在する場合、ドリフトＲＮＣ（Drifting RNC；以下、‘ＤＲＮＣ’と称する）からサービングＲＮＣ（Serving RNC；以下、‘ＳＲＮＣ’と称する）へ伝送されるＩｕｒシグナリングメッセージは、基地局からＲＮＣへ伝送されるシグナリングメッセージと類似しているので、その説明を省略する。
【００４７】
図８を参照すると、上記メッセージは、無線リンク情報応答に必要な情報要素（Radio Link Information Response IE（Information Element））を含む。上記無線リンク情報応答ＩＥは、ＲＮＣから無線リンクのセットアップ（setup）又は付加（addition）の要求を受信した基地局が応答メッセージに含ませるパラメータである。
このとき、基地局は、本発明の実施形態に従って、スケジューリングセルグループ識別子、認知／否定的セルグループ識別子、及び除外セル指示子を無線リンク別に上記無線リンク情報応答ＩＥ（Radio Link Information Response IE）に選択的に含む。すなわち、基地局は、上記スケジューリング情報又はＡＣＫ／ＮＡＣＫ情報の伝送のためのセルグループが上記ＴＰＣ無線リンクセットと異なる場合、上記スケジューリングセルグループ識別子及び認知／否定的セルグループ識別子を上記無線リンク情報応答ＩＥに挿入する。
【００４８】
しかしながら、上記スケジューリング情報又はＡＣＫ／ＮＡＣＫ情報の伝送のためのセルグループが上記ＴＰＣ無線リンクセットと同一である場合、基地局は、上記スケジューリングセルグループ識別子及び認知／否定的セルグループ識別子を含ませない。また、基地局は、該当セルを通してスケジューリング情報又はＡＣＫ／ＮＡＣＫ情報が伝送されない場合、上記無線リンク情報応答ＩＥに除外セル指示子を含ませる。一方、該当セルを通してスケジューリング情報又はＡＣＫ／ＮＡＣＫ情報が伝送される場合には、基地局は、上記除外セル指示子を上記無線リンク情報応答ＩＥに含ませない。
【００４９】
図９は、本発明の実施形態に従って、ＲＮＣからＵＥへ伝送されるシグナリングメッセージの一形態を示す図である。すなわち、図９は、本発明の実施形態に従って、ＲＮＣからＵＥへ伝送されるアクティブセット更新要求メッセージの構成を示す。
図９を参照すると、上記無線リンク追加情報ＩＥ（Radio Link Addition Information Element）は、ＲＮＣがＵＥにアクティブセット（Active Set）内に無線リンクの追加／削除を要求するＲＲＣメッセージに含まれるパラメータである。ＲＮＣは、ＵＥ別に上記無線リンク追加情報ＩＥにセルグループ指定指示子を付加し、上記セルグループ指定指示子（Explicit Cell Group Indicator）がオンに設定される場合にのみ、上記無線リンク別にスケジューリングセルグループインデックス（Scheduling Cell Group Index）及びＡＣＫ／ＮＡＣＫセルグループインデックス（ACK/NACK Cell Group Index）を上記無線リンク追加情報ＩＥに付加する。
【００５０】
ＵＥは、上記セルグループ指定指示子を確認することによって、同一のＴＰＣ無線リンクセットに含まれたスケジューリング情報又はＡＣＫ／ＮＡＣＫ情報をソフト結合するか否か、又は、同一のスケジューリングセルグループに含まれたスケジューリング情報（又は、ＡＣＫ／ＮＡＣＫセルグループ）をソフト結合するか否かを判断することができる。ＲＮＣは、スケジューリング情報又はＡＣＫ／ＮＡＣＫ情報を伝送しない無線リンクを通して除外セル指示子を設定する。
本発明の実施形態によるまた他の方法において、ＲＮＣは、セルグループ指定指示子がオンに設定される条件を満足する場合にのみ 上記除外セル指示子を付加することもできる。
【００５１】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００５２】
【図１】上りリンクパケットデータサービスを支援するＵＥ及び基地局を示す図である。
【図２】上りリンクパケットデータサービスを支援するためのＵＥと基地局との間に送受信される情報を示す図である。
【図３】上りリンクパケットデータサービスを使用するＵＥがソフターハンドオーバー領域に位置した状況を示す図である。
【図４】上りリンクパケットデータサービスを使用するＵＥがソフター及びソフトハンドオーバー領域に同時に位置した状況を示す図である。
【図５】本発明の実施形態による基地局の送信装置の構成を示す図である。
【図６】本発明の実施形態によるＵＥの受信装置の構成を示す図である。
【図７】本発明の実施形態によるＵＥが上りリンクパケットサービスに対するスケジューリング信号を受信する手順を示すフローチャートである。
【図８】本発明の実施形態によるソフト結合を支援するためのＩｕｂシグナリングメッセージの形態を示す図である。
【図９】本発明の実施形態によるソフト結合を支援するためのＲＲＣシグナリングメッセージの形態を示す図である。
【符号の説明】
【００５３】
５００    スケジューリング信号伝送制御器
５０２    セルグループ♯１のスケジューリング信号生成器
５０４    セルグループ♯２のスケジューリング信号生成器
５０６、５０８    セルグループ♯１の送信器
５１０、５１２    セルグループ♯２の送信器
６００、６０２、６１２、６１６    スケジューリング信号復調器
６０４    ソフト結合器
６０６、６１４、６１８    メッセージ復号器
６０８    ＥＵＤＣＨデータレート決定器
【図１】
2005333632.tif 000004
【図２】
2005333632.tif 000005
【図３】
2005333632.tif 000006
【図４】
2005333632.tif 000007
【図５】
2005333632.tif 000008
【図６】
2005333632.tif 000009
【図７】
2005333632.tif 000010
【図８】
2005333632.tif 000011
【図９】
2005333632.tif 000012
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
移動通信システムにおける使用者端末が上りリンクパケットデータサービスのためのスケジューリング信号を効率的に受信する方法であって、
無線網制御器から、前記使用者端末と通信する１つの基地局に属し、前記上りリンクパケットデータサービスのためのデータレートを制御するための相互に異なるスケジューリング信号を送信する少なくとも２個のスケジューリングセルグループを示すセルグループ情報を獲得するステップと、ここで、前記各スケジューリングセルグループは、同一のスケジューリング信号を送信する少なくとも１つのセルを含み、
前記複数のセルからのスケジューリング信号を受信して復調し、前記セルグループ情報に従って各スケジューリングセルグループに属するセルから受信されたスケジューリング信号をソフト結合するステップと、
前記ソフト結合された信号及びソフト結合されない少なくとも１つのスケジューリング信号に従って前記上りリンクパケットデータサービスのためのデータレートを決定するステップと
を備えることを特徴とする方法。
【請求項２】
前記セルグループ情報は、前記同一のスケジューリング信号を伝送する前記各スケジューリングセルグループを区別するスケジューリングセルグループ識別子を備えることを特徴とする請求項１記載の方法。
【請求項３】
前記セルグループ情報は、前記使用者端末のアクティブセットに含まれているが、スケジューリング信号を伝送しないセルを示す除外セル指示子をさらに備えることを特徴とする請求項２記載の方法。
【請求項４】
前記セルグループ情報は、前記上りリンクパケットデータサービスのための同一の認知／否定的認知(ＡＣＫ／ＮＡＣＫ)信号を伝送するセルを区別するＡＣＫ／ＮＡＣＫセルグループ識別子をさらに備えることを特徴とする請求項２記載の方法。
【請求項５】
前記セルグループ情報は、前記同一のスケジューリング信号を送信する複数のセルを含む各スケジューリングセルグループが同一の電力制御命令を伝送するセルを示すＴＰＣ無線リンクセットと同一であるか否かを示すセルグループ指定指示子をさらに備えることを特徴とする請求項２記載の方法。
【請求項６】
前記獲得するステップは、前記同一のスケジューリング信号を送信する複数のセルを含む各スケジューリングセルグループが同一の電力制御命令（ＴＰＣ）を伝送するセルを示すＴＰＣ無線リンクセットと同一であるか否かを判断するステップと、
前記各スケジューリングセルグループが前記ＴＰＣ無線リンクセットと同一でない場合、前記無線網制御器から前記セルグループ情報を含む無線資源制御（ＲＲＣ）シグナリングメッセージを受信し、前記ＲＲＣシグナリングメッセージから前記セルグループ情報を検出するステップとを備えることを特徴とする請求項１記載の方法。
【請求項７】
前記獲得するステップは、前記同一のスケジューリング信号を送信する複数のセルを含む各スケジューリングセルグループが同一の制御命令（ＴＰＣ）を伝送するセルを示すＴＰＣ無線リンクセットと同一であるか否かを判断するステップと、
前記各スケジューリングセルグループが前記ＴＰＣ無線リンクセットと同一である場合、前記無線網制御器から前記ＴＰＣ無線リンクセットを示すＴＰＣ無線リンクセット情報を含む無線資源制御（ＲＲＣ）シグナリングメッセージを受信するステップと、
前記ＲＲＣシグナリングメッセージから前記ＴＰＣ無線リンクセット情報を検出して前記ＴＰＣ無線リンクセット情報が示す前記ＴＰＣ無線リンクセットを前記同一のスケジューリング信号を送信する前記各スケジューリングセルグループとして定義するステップと
前記同一のスケジューリング信号を送信する前記各スケジューリングセルグループとして定義するステップと
を備えることを特徴とする請求項１記載の方法。
【請求項８】
移動通信システムにおいて上りリンクパケットデータサービスのためのスケジューリング信号を受信する使用者端末装置であって、
無線網制御器から前記使用者端末と通信する１つの基地局に属し、前記上りリンクパケットデータサービスのデータレートを制御するための相互に異なるスケジューリング信号を送信する少なくとも２個のスケジューリングセルグループを示すセルグループ情報を獲得するスケジューリング信号受信制御器と、ここで、前記各スケジューリングセルグループは、同一のスケジューリング信号を送信する少なくとも１つのセルを含み、
複数のセルからのスケジューリング信号をそれぞれ復調する少なくとも１つのスケジューリング信号復調器と、
前記スケジューリング信号復調器によって受信された前記スケジューリング信号のうちから、前記セルグループ情報に従って各スケジューリングセルグループに属するセルからのスケジューリング信号をソフト結合するソフト結合器と、
前記ソフト結合器の出力信号、又は前記スケジューリング信号復調器によって受信された前記スケジューリング信号を復号するメッセージ復号器と、
前記メッセージ復号器からの出力信号に従って、前記上りリンクパケットデータサービスのためのデータレートを決定するデータレート決定器と
を備えることを特徴とする装置。
【請求項９】
前記セルグループ情報は、前記同一のスケジューリング信号を伝送する前記各スケジューリングセルグループを区別するスケジューリングセルグループ識別子を備えることを特徴とする請求項８記載の装置。
【請求項１０】
前記セルグループ情報は、前記使用者端末のアクティブセットに含まれているが、スケジューリング信号を伝送しないセルを示す除外セル指示子をさらに備えることを特徴とする請求項９記載の装置。
【請求項１１】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項９記載の装置。
【請求項１２】
前記セルグループ情報は、前記同一のスケジューリング信号を送信する複数のセルを含む各スケジューリングセルグループが同一のＴＰＣを伝送するセルを示すＴＰＣ無線リンクセットと同一であるか否かを示すセルグループ指定指示子をさらに備えることを特徴とする請求項９記載の装置。
【請求項１３】
前記スケジューリング信号受信制御器は、前記同一のスケジューリング信号を送信する複数のセルを含む各スケジューリングセルグループが同一のＴＰＣを伝送するセルを示すＴＰＣ無線リンクセットと同一でない場合、前記無線網制御器から前記セルグループ情報を含むＲＲＣシグナリングメッセージを受信し、前記ＲＲＣシグナリングメッセージから前記セルグループ情報を検出することを特徴とする請求項８記載の装置。
【請求項１４】
前記スケジューリング信号受信制御器は、前記同一のスケジューリング信号を送信する複数のセルを含む各スケジューリングセルグループが同一のＴＰＣを伝送するセルを示すＴＰＣ無線リンクセットと同一である場合、前記無線網制御器から前記ＴＰＣ無線リンクセットを示すＴＰＣ無線リンクセット情報を含むＲＲＣシグナリングメッセージを受信するように構成される第１の構成要素と、
前記ＲＲＣシグナリングメッセージから前記ＴＰＣ無線リンクセット情報を検出して前記ＴＰＣ無線リンクセット情報を示す前記ＴＰＣ無線リンクセットを前記同一のスケジューリング信号を送信する前記複数のセルの各スケジューリングセルグループとして定義するように構成される第２の構成要素とを備えることを特徴とする請求項８記載の装置。
【請求項１５】
移動通信システムにおける基地局で上りリンクパケットデータサービスのためのスケジューリング信号のソフト結合を支援するための方法であって、
前記基地局によって制御される複数のセルのうち、同一のスケジューリング信号を送信するセルを決定するステップと、
前記同一のスケジューリング信号を送信するセルを示すスケジューリングセルグループを前記基地局を制御する無線網制御器（ＲＮＣ）に通知するステップと、
前記上りリンクパケットデータサービスを遂行し、前記スケジューリングセルグループのセルのうちの少なくとも１つに位置する使用者端末のための同一のスケジューリング信号を生成するステップと、
前記生成されたスケジューリング信号を前記スケジューリングセルグループ内の各セルを通して前記使用者端末（ＵＥ）へ送信するステップと
を備えることを特徴とする方法。
【請求項１６】
前記セルグループ情報は、前記同一のスケジューリング信号を伝送するセルを区別するスケジューリングセルグループ識別子を備えることを特徴とする請求項１５記載の方法。
【請求項１７】
前記セルグループ情報は、前記使用者端末のアクティブセットに含まれているが、スケジューリング信号を伝送しないセルを示す除外セル指示子をさらに備えることを特徴とする請求項１６記載の方法。
【請求項１８】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項１６記載の方法。
【請求項１９】
移動通信システムにおいて上りリンクパケットデータサービスのためのスケジューリング信号のソフト結合を支援するための基地局装置であって、
前記基地局によって制御される複数のセルのうち、同一のスケジューリング信号を送信するセルを決定し、前記同一のスケジューリング信号を送信するセルを示すスケジューリングセルグループを前記基地局を制御する無線網制御器に通知するスケジューリング信号伝送制御器と、
前記上りリンクパケットデータサービスを遂行し、前記スケジューリングセルグループ内のセルのうちの少なくとも１つに位置する使用者端末のための同一のスケジューリング信号を生成するスケジューリング信号生成器と、
前記生成されたスケジューリング信号を前記スケジューリングセルグループ内の各セルを通して前記使用者端末へ送信するセル送信器と
を備えることを特徴とする装置。
【請求項２０】
前記セルグループ情報は、前記同一のスケジューリング信号を伝送するセルを区別するスケジューリングセルグループ識別子を備えることを特徴とする請求項１９記載の装置。
【請求項２１】
前記セルグループ情報は、前記使用者端末のアクティブセットに含まれているが、スケジューリング信号を伝送しないセルを示す除外セル指示子をさらに備えることを特徴とする請求項２０記載の装置。
【請求項２２】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項２０記載の装置。
【請求項２３】
移動通信システムにおける無線網制御器（ＲＮＣ）で上りリンクパケットデータサービスのためのスケジューリング信号のソフト結合を支援する方法であって、
複数のセルを制御する基地局から同一のスケジューリング信号を送信するセルを示すセルグループ情報を受信するステップと、
前記上りリンクパケットデータサービスを遂行し、前記複数のセルのうちの少なくとも１つに位置する使用者端末へ前記セルグループ情報を伝送するステップと
を備えることを特徴とする方法。
【請求項２４】
前記セルグループ情報は、前記同一のスケジューリング信号を伝送するセルを区別するスケジューリングセルグループ識別子を備えることを特徴とする請求項２３記載の方法。
【請求項２５】
前記セルグループ情報は、前記使用者端末のアクティブセットに含まれているが、スケジューリング信号を伝送しないセルを示す除外セル指示子をさらに備えることを特徴とする請求項２４記載の方法。
【請求項２６】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項２４記載の方法。
【請求項２７】
前記セルグループ情報は、前記同一のスケジューリング信号を送信するセルを含むスケジューリングセルグループが同一の電力制御命令（ＴＰＣ）を伝送するセルを示すＴＰＣ無線リンクセットと同一であるか否かを示すセルグループ指定指示子をさらに備えることを特徴とする請求項２４記載の方法。
【請求項２８】
移動通信システムにおける無線網制御器（ＲＮＣ）で上りリンクパケットデータサービスのためのスケジューリング信号のソフト結合を支援する装置であって、
複数のセルを制御する基地局から同一のスケジューリング信号を送信するセルを示すセルグループ情報を受信する受信部と、
前記上りリンクパケットデータサービスを遂行し、前記複数のセルのうちの少なくとも１つに位置する使用者端末へ前記セルグループ情報を伝送する送信部と
を備えることを特徴とする装置。
【請求項２９】
前記セルグループ情報は、同一のスケジューリング信号を伝送するセルを区別するスケジューリングセルグループ識別子を備えることを特徴とする請求項２８記載の装置。
【請求項３０】
前記セルグループ情報は、前記使用者端末のアクティブセットに含まれているが、スケジューリング信号を伝送しないセルを示す除外セル指示子をさらに備えることを特徴とする請求項２９記載の装置。
【請求項３１】
前記セルグループ情報は、前記上りリンクパケットデータサービスのための同一のＡＣＫ／ＮＡＣＫ信号を伝送するセルを区別するＡＣＫ／ＮＡＣＫセルグループ識別子をさらに備えることを特徴とする請求項２９記載の装置。
【請求項３２】
前記セルグループ情報は、前記同一のスケジューリング信号を伝送するセルを含むスケジューリングセルグループが同一のＴＰＣを伝送するセルを示すＴＰＣ無線リンクセットと同一であるか否かを示すセルグループ指定指示子をさらに備えることを特徴とする請求項２９記載の装置。
【手続補正２】
【補正対象書類名】明細書
【補正対象項目名】００１４
【補正方法】変更
【補正の内容】
【００１４】
本発明のまた他の特徴によれば、移動通信システムにおける基地局で上りリンクパケットデータサービスのためのスケジューリング信号のソフト結合を支援するための方法であって、上記基地局によって制御される複数のセルのうち、同一のスケジューリング信号を送信するセルを決定するステップと、上記同一のスケジューリング信号を送信するセルを示すスケジューリングセルグループを上記基地局を制御する無線網制御器（ＲＮＣ）に通知するステップと、上記上りリンクパケットデータサービスを遂行し、上記スケジューリングセルグループのセルのうちの少なくとも１つに位置する使用者端末のための同一のスケジューリング信号を生成するステップと、上記生成されたスケジューリング信号を上記スケジューリングセルグループ内の各セルを通して上記使用者端末（ＵＥ）へ送信するステップと、を備えることを特徴とする。
【手続補正３】
【補正対象書類名】明細書
【補正対象項目名】００１５
【補正方法】変更
【補正の内容】
【００１５】
本発明のさらなる特徴によれば、移動通信システムにおいて上りリンクパケットデータサービスのためのスケジューリング信号のソフト結合を支援するための基地局装置であって、上記基地局によって制御される複数のセルのうち、同一のスケジューリング信号を送信するセルを決定し、上記同一のスケジューリング信号を送信するセルを示すスケジューリングセルグループを上記基地局を制御する無線網制御器に通知するスケジューリング信号伝送制御器と、上記上りリンクパケットデータサービスを遂行し、上記スケジューリングセルグループ内のセルのうちの少なくとも１つに位置する使用者端末のための同一のスケジューリング信号を生成するスケジューリング信号生成器と、上記生成されたスケジューリング信号を上記スケジューリングセルグループ内の各セルを通して上記使用者端末へ送信するセル送信器と、を備えることを特徴とする。
【手続補正４】
【補正対象書類名】明細書
【補正対象項目名】００１６
【補正方法】変更
【補正の内容】
【００１６】
本発明のもう一つの特徴によれば、移動通信システムにおける無線網制御器（ＲＮＣ）で上りリンクパケットデータサービスのためのスケジューリング信号のソフト結合を支援する方法であって、複数のセルを制御する基地局から同一のスケジューリング信号を送信するセルを示すセルグループ情報を受信するステップと、上記上りリンクパケットデータサービスを遂行し、上記複数のセルのうちの少なくとも１つに位置する使用者端末へ上記セルグループ情報を伝送するステップと、を備えることを特徴とする。
【手続補正５】
【補正対象書類名】明細書
【補正対象項目名】００１７
【補正方法】変更
【補正の内容】
【００１７】
本発明のなお他の特徴によれば、移動通信システムにおける無線網制御器（ＲＮＣ）で上りリンクパケットデータサービスのためのスケジューリング信号のソフト結合を支援する装置であって、複数のセルを制御する基地局から同一のスケジューリング信号を送信するセルを示すセルグループ情報を受信する受信部と、上記上りリンクパケットデータサービスを遂行し、上記複数のセルのうちの少なくとも１つに位置する使用者端末へ上記セルグループ情報を伝送する送信部と、を備えることを特徴とする。
【外国語明細書】
2005333632.tif 000013
2005333632.tif 000014
2005333632.tif 000015
2005333632.tif 000016
2005333632.tif 000017
2005333632.tif 000018
2005333632.tif 000019
2005333632.tif 000020
2005333632.tif 000021
2005333632.tif 000022
2005333632.tif 000023
2005333632.tif 000024
2005333632.tif 000025
2005333632.tif 000026
2005333632.tif 000027
2005333632.tif 000028
2005333632.tif 000029
2005333632.tif 000030
2005333632.tif 000031
2005333632.tif 000032
2005333632.tif 000033
2005333632.tif 000034
2005333632.tif 000035
2005333632.tif 000036
2005333632.tif 000037
2005333632.tif 000038
2005333632.tif 000039
2005333632.tif 000040
2005333632.tif 000041
2005333632.tif 000042
2005333632.tif 000043